(57)【特許請求の範囲】
【請求項１】
スイッチ素子と、
このスイッチ素子の作動に基づいて無線信号を出力する出力回路を実装する回路基板と、
この回路基板を収納するケースと、
摺動操作を前記ケース内の前記スイッチ素子に伝える摺動操作部と、
を備えた遠隔操作装置であって、
前記摺動操作部は、
前記ケースの外側に、利用者によって摺動操作可能なツマミと、
前記ケースの内側に、前記ツマミの摺動を前記スイッチ素子に伝えるジョイント部材と、を設け、
前記ケースにおける前記ツマミの挿通用孔の内壁には、前記ツマミの孔部を係合するための突起を有し、
前記ツマミは、前記ケースの外側から組み付けられて摺動可能に係合保持される
ことを特徴とする遠隔操作装置。
【請求項２】
前記摺動操作部は、前記回路基板の実装面と略垂直な前記ケースの側壁に設けられることを特徴とする請求項１に記載の遠隔操作装置。
【請求項３】
前記ジョイント部材は、前記ケースと前記回路基板の実装面との間に位置規制されて設けられることを特徴とする請求項１または請求項２に記載の遠隔操作装置。
【発明の詳細な説明】
【技術分野】
【０００１】
本発明は、機器を遠隔操作するための無線式の遠隔操作装置に関する。
【背景技術】
【０００２】
従来の遠隔操作装置は、例えば赤外線信号等の無線通信用の出力回路や、操作用スイッチなどを実装する回路基板や、液晶表示パネルなどの表示器、バッテリ等をケース内に収納して構成されるものが一般的であり、例えば、特許文献１に開示されている。
【先行技術文献】
【特許文献】
【０００３】
【特許文献１】特開２００５−２５２３３６号公報
【発明の概要】
【発明が解決しようとする課題】
【０００４】
これら遠隔操作装置は、利用者の手に把持された状態で対象の機器を操作可能であることから、表示面だけでなく、側面側にも操作可能なスイッチを実装することが求められていた。特に、把持による誤操作を防止するために摺動操作用のツマミを有する、所謂スライドスイッチが好適であるが、回路基板に実装されるスイッチ素子に対して精度良く、かつ組み付け性を良好にする設計が求められていた。
【０００５】
また、例えば、遠隔操作装置が落下するなどして衝撃が加わり、該ツマミが外れてしまった場合であっても、利用者が容易に組み付けできる構造が求められていた。
【０００６】
そこで本発明の目的は、上述した課題に着目し、容易に組み付けできる摺動操作部を有する遠隔操作装置を提供することにある。
【課題を解決するための手段】
【０００７】
本発明の遠隔操作装置は、
スイッチ素子と、このスイッチ素子の作動に基づいて無線信号を出力する出力回路を実装する回路基板と、
この回路基板を収納するケースと、
摺動操作を前記ケース内の前記スイッチ素子に伝える摺動操作部と、
を備えた遠隔操作装置であって、
前記摺動操作部は、
前記ケースの外側に、利用者によって摺動操作可能なツマミと、
前記ケースの内側に、前記ツマミの摺動を前記スイッチ素子に伝えるジョイント部材と、を設け、
前記ケースにおける前記ツマミの挿通用孔の内壁には、前記ツマミの孔部を係合するための突起を有し、
前記ツマミは、前記ケースの外側から組み付けられて摺動可能に係合保持される
ことを特徴とする。
【０００９】
また、前記摺動操作部は、前記回路基板の実装面と略垂直な前記ケースの側壁に設けられることを特徴とする。
【００１０】
また、前記ジョイント部材は、前記ケースと前記回路基板の実装面との間に位置規制されて設けられることを特徴とする。
【発明の効果】
【００１１】
本発明は、容易に組み付けできる摺動操作部を有する遠隔操作装置となる。
【図面の簡単な説明】
【００１２】
【図１】本発明の実施形態による遠隔操作装置の概略図。
【図２】同実施形態における遠隔操作装置に組み付けられた摺動操作部を示す断面図。
【図３】同実施形態における摺動操作部を示す斜視図。
【発明を実施するための形態】
【００１３】
以下、本発明の遠隔操作装置の実施形態として、空気調和機用のリモートコントローラ（以下、リモコンと記す）に適用したものを例に挙げて、図面を用いて説明する。
【００１４】
図１は、リモコンＡの構成を示す分解斜視図であって、リモコンＡは、回路基板１と、ケース２と、表示パネル３と、押圧操作部４と、摺動操作部５と、を備えている。
【００１５】
回路基板１は、ガラスエポキシ樹脂等を用いた基材に、銅箔パターンを形成した硬質のプリント基板を適用でき、スイッチ素子１１，１２や発光ダイオード１３、図示しないマイクロコンピュータや電池用の端子等の電子部品を実装している。
【００１６】
スイッチ素子１１は、表示面に設けられる押圧操作部４の押圧を検出するためのタクトスイッチを適用できる。また、後述する摺動操作部５に対応して設けられるスイッチ素子１２は、回路基板１の表示面（押圧操作面）側に実装され、図２の断面図に示すように、回路基板１の実装面と平行方向に伸び、該実装面と平行に直線移動するシャフト部１２ａを有し、このシャフト部１２ａの位置に基づいて信号を発するスライドスイッチを適用できる。
【００１７】
発光ダイオード１３は、押圧操作部４や摺動操作部５などの操作に基づいて、赤外光の点滅信号（無線信号）を発するための出力である。
【００１８】
ケース２は、上ケース２１と下ケース２２と図示しない電池蓋が設けられ、上ケース２１と下ケース２２とが嵌合することで、回路基板１等を収納する収納空間を設けることができ、また、下ケース２２と該電池蓋とによって電池収納空間が設けられる。
【００１９】
上ケース２１は、合成樹脂材からなり、押圧操作部４や表示パネル３をケース２の外側から操作、または視認できるように保持している。下ケース２２は、上ケース２１と同様の合成樹脂材からなり、回路基板１を載せる載置部２２１と、この回路基板１の実装面と略垂直な側壁部２２２の孔２２３と、発光ダイオード１３の出力光を透過する図示しない透過窓が設けられる切り欠き部２２４と、を設けている。なお、孔２２３は、後述する摺動操作部５を挿通するためのもので、内壁に摺動操作部５を係止するための突起２２３ａが設けられる。
【００２０】
表示パネル３は、上ケース２１の開口から望むことができるように保持され、液晶表示素子とこれを駆動する駆動回路を備えた表示ユニットを適用できる。表示パネル３は、回路基板１に実装された制御回路からの制御信号によって、押圧操作部４や摺動操作部５の操作に基づく、操作状態や、通信対象（被制御機器）となる空気調和機の設定状態、室温や現在温度を表示できる。また、表示パネル３の表面にタッチパネルを積層することによって、入力手段とすることも考えられる。
【００２１】
押圧操作部４は、上ケース２１の開口に嵌め込まれて設けられる操作ボタンである。押圧操作部４は、利用者の押圧操作によって、回路基板１に実装されたスイッチ素子１１を押圧して接点を切り替えることができるように、回路基板１の実装面に対して垂直に移動できる。また、押圧操作部４の天面（露出面）には、何の操作ができるのかをケース２の外側から確認できるように、ボタンの名称、またはマークなどの表示意匠が印刷されている。
【００２２】
摺動操作部５は、下ケース２２の側壁部２２２に設けられ、孔２２３から回路基板１に実装されたスイッチ素子１２の接点切り替えを操作できるように、図３に示すように、ツマミ５１とジョイント部材５２とを設けている。
【００２３】
ツマミ５１は、摺動操作するために利用者が触れることができる操作部５１ａと、孔２２３に挿通してジョイント部材５２に嵌まる板状の接続部５１ｂと、この接続部５１ｂにおいて孔２２３の内壁に形成された突起２２３ａに係合するスリット状の係合孔５１ｃ（孔部）と、が形成される。なお、図２に示すように、下ケース２２には、長方形の孔２２３のうち、摺動方向に直交して対向する内壁の二面に突起２２３ａが設けられ、ツマミ５１には、この二つの突起２２３ａのそれぞれに対応する係合孔（孔部）５１ｃ，５１ｄを有する接続部５１ｂ，５１ｅが形成されている。また、二つの接続部５１ｂ，５１ｅ間には、隙間を有している。
【００２４】
また、ツマミ５１は、板状の接続部５１ｂ，５１ｅの弾性変形を利用して、ケース２の外側から組み付けることができる。この場合、側壁部２２２から奥まって形成される非対称な段差面２２２ａ，２２２ｂによって、誤った方向でツマミ５１が組み付けできないようしている。
【００２５】
ジョイント部材５２は、上ケース２１の内側に形成されたガイド溝２１ａに対向する端部５２ａと回路基板１に対向する端部５２ｂとが形成された壁部５２ｃと、ツマミ５１の接続部５１ｂに嵌まるコ字状の凹部５２ｄと、この凹部５２ｄの反対側の壁部５２ｃにスイッチ素子１２のシャフト部１２ａに嵌合する接続孔５２ｅと、が設けられる。なお、ツマミ５１の接続部５１ｂは、接続部５１ｅよりも長く、先端側には、傾斜面５１ｆが形成されており、ツマミ５１の組み付け時に、凹部５２ｄの適正な位置に誘い込むようにして案内して嵌まるため、精度よく組み付けする必要がなく、容易に組み付けできる。
【００２６】
また、ジョイント部材５２は、上ケース２１と回路基板１の実装面との間に設けられ、ガイド溝２１ａと端部５２ａを有する壁部５２ｃをガイドする構造であるため、摺動操作に伴うジョイント部材５２の移動方向を規制するとともに、シャフト部１２ａが接続孔５２ｅから外れることを防止できる。
【００２７】
斯かるリモコンＡは、スイッチ素子１２と、このスイッチ素子１２の作動に基づいて無線信号を出力する発光ダイオード１３などの出力回路を実装する回路基板１と、この回路基板１を収納するケース２と、摺動操作をケース２内のスイッチ素子１２に伝える摺動操作部５と、を備えた遠隔操作装置であって、摺動操作部５は、ケース２の外側に、利用者によって摺動操作可能なツマミ５１と、ケース２の内側に、ツマミ５１の摺動をスイッチ素子１２に伝えるジョイント部材５２とを設ける。
【００２８】
従って、容易に組み付けできる摺動操作部５を有するリモコンＡとなる。例えば、リモコンＡが落下するなどして衝撃が加わり、ツマミ５１が外れてしまった場合であっても、利用者が容易に組み付けできる構造となる。
【００２９】
また、ケース２におけるツマミ５１の挿通用の孔２２３の内壁には、ツマミ５１の係合孔５１ｃ，５１ｄを係合するための突起２２３ａを有し、ツマミ５１は、ケース２の外側から組み付けられて摺動可能に係合保持されることによって、摺動操作部５のツマミ５１を容易に組み付けできる。
【００３０】
また、摺動操作部５は、表示面や回路基板１の実装面と略垂直なケース２の側壁部２２２に設けられることによって、薄型のリモコンＡであっても、利用者が把持した状態で摺動操作可能な入力手段を設けることができる。
【００３１】
また、ジョイント部材５２は、ケース２と回路基板１の実装面との間に位置規制されて設けられることによって、スイッチ素子１２のシャフト部１２ａに精度良く組み付けられた状態を保持できる。例えば、リモコンＡに衝撃が加わり、ツマミ５１が外れてしまった場合であっても、組み付け精度を有するジョイント部材５２が組み付け状態を保持できているため、ツマミ５１をケース２へ組み付ける作業にて容易に状態を復帰できる。
【００３２】
なお、本発明の遠隔操作装置を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。例えば、上述実施の形態にあっては、赤外光線の無線信号出力によって、対象の機器（被制御機器）を操作するものであったが、信号を受信する回路を設けて双方向で通信するものであってもよいし、無線信号として電波信号を用いて機器と無線通信する遠隔操作装置であってもよい。
【産業上の利用可能性】
【００３３】
本発明は、利用者が把持しながら操作する遠隔操作装置に関して、例えば、空気調和機やテレビなどの装置を対象にした無線式の遠隔操作手段として好適である。
【符号の説明】
【００３４】
Ａ    リモコン（遠隔操作装置）
１    回路基板
１１  スイッチ素子
１２  スイッチ素子
１２ａ  シャフト部
１３  発光ダイオード
２    ケース
２１  上ケース
２１ａ  ガイド溝
２２  下ケース
２２１  載置部
２２２  側壁部（側壁）
２２２ａ  段差面
２２２ｂ  段差面
２２３  孔（挿通用孔）
２２３ａ  突起
２２４  切り欠き部
３    表示パネル
４    押圧操作部
５    摺動操作部
５１  ツマミ
５１ａ  操作部
５１ｂ  接続部
５１ｃ  係合孔（孔部）
５１ｄ  係合孔（孔部）
５１ｅ  接続部
５１ｆ  傾斜面
５２  ジョイント部材
５２ａ  端部
５２ｂ  端部
５２ｃ  壁部
５２ｄ  凹部
５２ｅ  接続孔
【図１】
0006565579.tif 000002
【図２】
0006565579.tif 000003
【図３】
0006565579.tif 000004